(57)【特許請求の範囲】
【請求項１】
光源を有する灯体と、前記灯体を回動部により回動可能に支持するアームとを有する照明器具であって、
前記アームと前記灯体との回動を固定する摩擦力を発生するために外向きの付勢力を発する弾性体と、
前記弾性体の付勢力を軽減する操作レバーと、を有し、
前記操作レバーの一部に前記灯体が固定されており、
前記アームは、対向する一対の側板を有する門型形状をしており、
前記一対の側板の下端部には、前記回動部を構成するリング状の軸受部が対向して設けられており、
前記操作レバーは、把持部としての一対の操作部と、前記一対の操作部に連続する部分である一対のレバー部材と、前記一対のレバー部材の一部が外側に円弧状に突出してなる一対のパッド保持部と、を有し、
前記一対のパッド保持部の内面には、円弧状の外面を備える一対のパッドが、前記円弧状の外面が接触した状態で取付けられており、
前記一対のパッドの、前記一対のパッド保持部から左右両側に突出している部分は、前記一対のリング状の軸受部によって保持されており、
前記弾性体は、前記操作レバーにおける前記一対の操作部の間、または前記一対のレバー部材の間に設けられており、
前記操作レバーが操作されないロック状態では、
前記一対のパッド保持部から左右両側に突出している部分は、前記一対のリング状の軸受部の内面に第１の摩擦力が生じた状態で接触しており、
前記一対の操作部が操作されて前記一対の操作部が互いにより接近した状態であるロック解除状態では、
前記一対のパッド保持部から左右両側に突出している部分と、前記一対のリング状の軸受部の内面との間に、前記第１の摩擦力よりも小さい第２の摩擦力が生じる、
ことを特徴とする照明器具。
【請求項２】
前記灯体と前記操作レバーとが一体に設けられていることを特徴とする請求項１記載の照明器具。
【請求項３】
前記操作レバーの先端部に設けられている操作部と、前記灯体に取付けられている前記操作レバーの基端部との間に、前記回動部の回動軸および前記弾性体が設けられていることを特徴とする請求項１または２記載の照明器具。
【請求項４】
前記操作レバーに設けられている一対の操作部の一方が、前記灯体に固定されていることを特徴とする請求項１に記載の照明器具。
【発明の詳細な説明】
【技術分野】
【０００１】
本発明は、照射方向を変えることができる照明器具に関するものである。
【背景技術】
【０００２】
従来より、アームに支持された灯体の向きを変えることにより、照射方向を変えることができる照明器具が提案されている（例えば特許文献１参照）。
図８に示すように、特許文献１に記載の照明器具１００は、病院等のベッドサイドに設けられるベッドライドであり、ベッドサイドの取付台等に取付けられて角度及び向きが調整可能なアーム１０１と、アーム１０１の先端に継ぎ手１０２を介して灯具１０３が取付けられている。継ぎ手１０２はＸ方向及びＹ方向に回動可能となっており、継ぎ手１０２内部に設けられているバネによって発生する摩擦力によって、灯具１０３のＸ方向及びＹ方向の回動は、任意の回動位置で停止できるようになっている。ただし、Ｘ方向の摩擦力は、灯具１０３が首振り状態とならないように摩擦力が大きく設定されている。
このため、灯具１０３をＸ方向へ回動させる場合には、灯具１０３に設けられている取っ手１０４を握ってワイヤ１０５を矢印方向へ引くことにより、Ｘ方向の回動を規制している摩擦力を小さくして、回動を行うようになっている。
【特許文献１】特開平２−１９７００８号公報（第１図）
【発明の開示】
【発明が解決しようとする課題】
【０００３】
しかしながら、前述した特許文献１に記載の照明器具１００においては、灯具１０３を回動させる際に、回動を規制している摩擦力を小さくためにワイヤ１０５や取っ手１０４を設けているので、部品点数が多く、組立性が悪いとともに、コストアップを招くという問題があった。
【０００４】
本発明は、従来の問題を解決するためになされたもので、簡潔な構成で灯具を回動可能かつ任意の角度で停止でき、長期間の使用に対しても角度が変わらない照明器具を提供することを目的とする。
【課題を解決するための手段】
【０００５】
本発明の照明器具は、光源を有する灯体と、前記灯体を回動部により回動可能に支持するアームとを有する照明器具であって、前記アームと前記灯体との回動を固定する摩擦力を発生するために外向きの付勢力を発する弾性体と、前記弾性体の付勢力を軽減する操作レバーと、を有し、前記操作レバーの一部に前記灯体が固定されており、前記アームは、対向する一対の側板を有する門型形状をしており、前記一対の側板の下端部には、前記回動部を構成するリング状の軸受部が対向して設けられており、前記操作レバーは、把持部としての一対の操作部と、前記一対の操作部に連続する部分である一対のレバー部材と、前記一対のレバー部材の一部が外側に円弧状に突出してなる一対のパッド保持部と、を有し、前記一対のパッド保持部の内面には、円弧状の外面を備える一対のパッドが、前記円弧状の外面が接触した状態で取付けられており、前記一対のパッドの、前記一対のパッド保持部から左右両側に突出している部分は、前記一対のリング状の軸受部によって保持されており、前記弾性体は、前記操作レバーにおける前記一対の操作部の間、または前記一対のレバー部材の間に設けられており、前記操作レバーが操作されないロック状態では、前記一対のパッド保持部から左右両側に突出している部分は、前記一対のリング状の軸受部の内面に第１の摩擦力が生じた状態で接触しており、前記一対の操作部が操作されて前記一対の操作部が互いにより接近した状態であるロック解除状態では、前記一対のパッド保持部から左右両側に突出している部分と、前記一対のリング状の軸受部の内面との間に、前記第１の摩擦力よりも小さい第２の摩擦力が生じる、構成を有している。
【０００６】
この構成により、灯体をアームに回動可能に支持する回動部に弾性体を設け、この弾性体が発生する外向きの付勢力によってアームと灯体との回動を固定する摩擦力を発生させるので、所望の回動角度で灯体をアームに固定することができる。また、操作レバーを内側へ操作することによって弾性体の外向きの付勢力を軽減させることができるので、摩擦力を軽減して、容易に灯体を所望の角度へ回動させることができる。さらに、灯体を回動させる際には操作レバーで弾性力を軽減するので、弾性体の外向きの付勢力を大きく設定することができ、長期間の使用においても、緩むことなく灯体を一定の回動角度に保持することができる。
【０００７】
また、本発明の照明器具は、前記灯体と前記操作レバーとが一体に設けられている構成を有している。
【０００８】
この構成により、灯体と操作レバーが一体に設けられているので、操作レバーを握って弾性体が発する外向きの付勢力を軽減すると同時に、操作レバーを回動させることにより、灯体を所望の角度に回動させることができる。また、部品点数を減少させることができる。
【０００９】
さらに、本発明の照明器具は、前記操作レバーの先端部に設けられている操作部と、前記灯体に取付けられている前記操作レバーの基端部との間に、前記回動部の回動軸および前記弾性体が設けられている構成を有している。
【００１０】
この構成により、操作レバーの基端部を支点とし、先端の操作部を力点とするので、てこの原理により小さな力で弾性体の付勢力を軽減させることができる。また、弾性体を操作部付近に設けると、てこの原理により回動部の摩擦力を大きくすることができるので、長期間の使用においても、緩むことなく灯体を一定の回動角度に保持することができる。
【００１１】
さらに、本発明の照明器具は、前記操作レバーに設けられている一対の操作部の一方が、前記灯体に固定されている構成を有している。
【００１２】
この構成により、弾性体の付勢力を軽減する際に、灯体と他方の操作部を掴むことにより一対の操作部を接近させることができるので、灯体の角度調整を容易に行うことができる。
【発明の効果】
【００１３】
本発明は、灯体をアームに回動可能に支持する回動部に弾性体を設け、この弾性体が発生する外向きの付勢力によってアームと灯体との回動を固定する摩擦力を発生させるので、所望の回動角度で灯体をアームに固定することができる。また、操作レバーを内側へ操作することによって弾性体の外向きの付勢力を軽減させることができるので、摩擦力を軽減して、容易に灯体を所望の角度へ回動させることができる。さらに、灯体を回動させる際には操作レバーで弾性力を軽減するので、弾性体の外向きの付勢力を大きく設定することができ、長期間の使用においても、緩むことなく灯体を一定の回動角度に保持することができるという効果を有する照明器具を提供することができるものである。
【発明を実施するための最良の形態】
【００１４】
以下、本発明の実施の形態の照明器具について、図面を用いて説明する。
図１は本発明の第１実施形態にかかる照明器具の斜視図、図２はアームおよび操作レバーの分解斜視図、図３（Ａ）は操作レバーに沿った断面図、図３（Ｂ）は回動部の側面図、図４（Ａ）はロック状態における図３（Ａ）中IV−IV位置の断面図であり、図４（Ｂ）は同じくロック解除状態における断面図である。
【００１５】
図１に示すように、本発明の第１実施形態にかかる照明器具１０は、例えば、取付面である天井１１等に取付けられるライティングレール（図示省略）に沿って移動可能かつライティングレールから電力を供給されるライティングプラグ１２を有しており、ライティングプラグ１２から鉛直下方へ器具固定部材１３が設けられている。そして、器具固定部材１３の下方にはアーム２１が取付けられ、光源であるランプ２２を有する灯体２３の後壁２３ａに一体的に取付けられて後方（図１において右方）へ突出する操作レバー３１が、回動部３０において、アーム２１に対して回動可能かつ回動固定可能に取付けられている。
【００１６】
図２に示すように、アーム２１は対向する一対の側板２１ａを有する門型形状をしており、各側板２１ａの下端部には回動部３０の一部を構成するリング状の軸受部２１ｂが対向して設けられている。軸受部２１ｂの円形の内面２１ｃは、例えば粗面加工等により摩擦抵抗が大きくなるように加工されている。
【００１７】
また、図２に示すように、操作レバー３１は、灯体２３の後壁２３ａに一体的に取付けられる基端部としてのベース３１ａと、このベース３１ａに連続する一対のレバー部材３１ｂ、３１ｂを有している。レバー部材３１ｂの幅Ｂは、アーム２１の一対の側板２１ａの間隔Ｂ２よりも狭くなっており、一対のレバー部材３１ｂ、３１ｂは、アーム２１の側板２１ａ間に挿入された状態で、ベース３１ａに対して弾性変形により開閉可能となっている。レバー部材３１ｂの先端部には、操作レバー３１を操作する際に把持する操作部３１ｃが設けられている。
【００１８】
なお、対向する操作部３１ｃは、他の部分に比べて間隔を広くして把持しやすくするのが望ましい。また、レバー部材３１ｂと一対のベース３１ａとを別体に形成して、連結することもできる。このように操作レバー３１は灯体２３と一体的に設けられているので、操作レバー３１によって灯体２３の水平方向の旋回および上下方向の回動を行うことができる。
【００１９】
各レバー部材３１ｂの中央部には、外側に円弧状に突出するパッド保持部３１ｄが設けられており、パッド保持部３１ｄの内面には、パッド３２が取付けられている。パッド３２は、外面３２ａが円弧状をしており、内面３２ｂはレバー部材３１ｂの内面と略同一面となる程度の大きさが望ましい。少なくとも、一対のレバー部材３１ｂが互いに接近する際に、パッド３２同士がぶつかって、レバー部材３１ｂが十分に接近できないことがないように空間を確保する。また、パッド３２の幅Ｂ３は、少なくともアーム２１の側板２１ａ間の間隔Ｂ２よりも大きく、側板２１ａから外に突出しない大きさとなっている。パッド３２の外面３２ａは、アーム２１の軸受部２１ｂの内面２１ｃの半径と略同じ半径で形成されており、摩擦抵抗が大きくなっている。
【００２０】
図３（Ａ）、（Ｂ）に示すように、一対の操作レバー３１の間には弾性体としての板バネ３３が設けられており、操作レバー３１を操作しないロック状態では、一対の操作レバー３１を互いに離反する方向へ付勢している。これにより、図４（Ａ）に示すように、操作レバー３１のパッド取付部３１ｄに取付けられているパッド３２は外側へ付勢されて（図３および図４において矢印Ａ）、レバー部材３１ｂの左右両側から突出している部分の外面３２ａが、アーム２１の軸受部２１ｂの内面２１ｃに押し付けられる。前述したように、パッド３２の外面３２ａおよび軸受部２１ｂの内面２１ｃの摩擦係数が大きいため大きな摩擦力が発生しており、相互に回動を阻止してロック状態とする。
【００２１】
一方、灯体２３を回動させる場合には、図３（Ｂ）に示すように、操作レバー３１の先端部の操作部３１ｃを握って互いに接近する方向（図３および図４において矢印Ｂ）へ移動させる。これにより、図４（Ｂ）に示すように、操作レバー３１のパッド取付部３１ｄに取付けられているパッド３２は内側へ移動し（図３および図４において矢印Ｂ）、パッド３２の外面３２ａが、アーム２１の軸受部２１ｂの内面２１ｃから離れるので、パッド３２と軸受部２１ｂとの間の摩擦力が軽減される。従って、パッド３２すなわち操作レバー３１は軸受部２１ｂに対して回動可能なロック解除状態となる。
【００２２】
また、パッド３２はレバー部材３１ｂの中央部付近に取付けられているので、操作レバー３１の基端部であるベース３１ａを支点とし、先端部である操作部３１ｃを力点とするので、てこの原理により小さな力で板バネ３３の付勢力を軽減させることができる。なお、板バネ３３を操作部３１ｃ付近に設けると、てこの原理により回動部３０の摩擦力を大きくすることができるので、長期間の使用においても、緩むことなく灯体を一定の回動角度に保持することができる。
【００２３】
以上、説明した照明器具１０によれば、灯体２３をアーム２１に回動可能に支持する回動部３０に板バネ３３を設け、この板バネ３３が発生する外向きの付勢力によってアーム２１と灯体２３との回動を固定する摩擦力を発生させるので、所望の回動角度で灯体２３をアーム２１に固定することができる。また、操作レバー３１を内側へ操作することによって板バネ３３の外向きの付勢力を軽減させることができるので、摩擦力を軽減して、容易に灯体２３を所望の角度へ回動させることができる。さらに、灯体２３を回動させる際には操作レバー３１で板バネ３３の弾性力を軽減するので、ロック時における板バネ３３の外向きの付勢力を大きく設定することができ、長期間の使用においても、緩むことなく灯体２３を一定の回動角度に保持することができる。
【００２４】
次に、第２実施形態について説明する。
図５は第２実施形態にかかる照明器具の斜視図、図６は照明器具の側面図、図７はパッド取付部の別の例を示す側面図である。なお、前述した第１実施形態と共通する部位には同じ符号を付して、重複する説明を省略することとする。
【００２５】
図５に示すように、第２実施形態にかかる照明器具１０Ｂでは、操作レバー３４に設けられている一対の操作部３４ａ、３４ｂの一方の操作部３４ｂが、灯体２３に固定されている。
すなわち、図５および図６に示すように、操作レバー３４は一対のレバー部材３４ｃ、３４ｄを有しており、一方のレバー部材３４ｄは内部空間を有していて、この内部空間に他方のレバー部材３４ｃが収納可能となっている。ここでは、レバー部材３４ｄの操作部３４ｂが灯体２３に取付けられている。
【００２６】
両レバー部材３４ｃ、３４ｄは、長手方向の中央部付近に設けられている軸３５によって開閉可能に取付けられており、軸３５に対して操作部３４ａ、３４ｂと反対側（図６において右側）には、それぞれパッド取付部３４ｅ、３４ｆが設けられている。各パッド取付部３４ｅ、３４ｆには、それぞれパッド３２が取付けられており、アーム２１の軸受部２１ｂの内部に収容されている。
【００２７】
従って、操作レバー３４を操作しないロック状態では、板バネ３３の外向きの付勢力Ａによって操作部３４ａが灯体２３（すなわち操作部３４ｂ）から離れるので、パッド取付部３４ｅは軸受部２１ｂの内面２１ｃに押し付けられる（図６中矢印Ｂ）。また、パッド取付部３４ｆは軸受部２１ｂの内面２１ｃに当接して停止している。これにより、パッド３２の外面３２ａと軸受部２１ｂの内面２１ｃとの間の摩擦力により、ロック状態となり、灯体２３は回動しない。
【００２８】
一方、灯体２３を回動させるロック解除状態では、灯体２３を持ちながら操作レバー３４を操作して操作部３４ａ、３４ｂを接近させる（図６中矢印Ｃ）。これにより、パッド取付部３４ｅは軸受部２１の内面２１ｃから離反する方向（図６中矢印Ｄ）へ移動するので、パッド３２の外面３２ａと軸受部２１ｂの内面２１ｃとの間の摩擦力が軽減されて、灯体２３の回動が可能となる。そして、灯体２３を所望の角度まで回動したら、操作レバー３４を離すことにより前述したロック状態となるので、灯体２３の向きを固定することができる。
【００２９】
なお、図７に示すように、灯体２３に固定されているレバー部材３４ｄのパッド取付部３４ｆを、半円（１８０°）以上の円弧とすることにより、ロック解除状態においてもアーム２１の軸受部２１ｂからずれるのを防止することができる。この場合においても、他方のパッド取付部３４ｅとの間に、一定の隙間を確保する。
【００３０】
以上、説明した照明器具１０Ｂによれば、操作レバー３４に設けられている一対の操作部３４ａ、３４ｂの一方３４ｂが、灯体２３に固定されているので、板バネ３３の付勢力を軽減する際に、灯体２３と他方の操作部３４ａを掴むことにより一対の操作部３４ａ、３４ｂを接近させることができるので、灯体２３の角度調整を容易に行うことができる。
【００３１】
なお、本発明の照明器具は、前述した各実施形態に限定されるものでなく、適宜な変形，改良等が可能である。
例えば、前述した各実施形態においては、外向きの付勢力を発生する弾性体として板バネ３３を用いた場合を例示したが、板バネ３３にかわってスプリングバネを用いることもできる。
【図面の簡単な説明】
【００３２】
【図１】本発明の第１実施形態にかかる照明器具の斜視図
【図２】アームおよび操作レバーの分解斜視図
【図３】（Ａ）は操作レバーに沿った断面図、（Ｂ）は回動部の側面図
【図４】（Ａ）はロック状態における図３（Ａ）中IV−IV位置の断面図であり、（Ｂ）は同じくロック解除状態における断面図
【図５】本発明の第２実施形態にかかる照明器具の斜視図
【図６】照明器具の側面図
【図７】パッド取付部の別の例を示す側面図
【図８】従来の照明器具の斜視図
【符号の説明】
【００３３】
１０  照明器具
２１  アーム
２２  ランプ（光源）
２３  灯体
３０  回動部
３１、３４  操作レバー
３１ａ  ベース（基端部）
３１ｃ、３４ａ  操作部（先端部）
３３  板バネ（弾性体）
３４ｂ  操作部（先端部、操作部の一方）
【図１】
0005246920.tif 000002
【図２】
0005246920.tif 000003
【図３】
0005246920.tif 000004
【図４】
0005246920.tif 000005
【図５】
0005246920.tif 000006
【図６】
0005246920.tif 000007
【図７】
0005246920.tif 000008
【図８】
0005246920.tif 000009